(57)【要約】【課題】本発明は燃料の給液停止理由を操作者がその場で確認できることを課題とする。【解決手段】給液システム１０は、給液エリア１１に設置された燃料供給装置１３と、事務所１６内に設置された管理コンピュータ１８と、管理コンピュータ１８に接続された記憶装置１９と、ＰＯＳ本体２２とを有する。燃料供給装置１３は、セルフサービス給液方式の計量機１２と、計量機１２に隣接するように設けられた設定器１４とを有する。設定器１４の制御部は、設定量と燃料の給液量とを比較し、設定量が供給されたか否かを判定し、判定結果に基づいて燃料の供給停止状況をスピーカから音声ガイダンスを発生させて報知する。これにより、操作者は、予め設定された目標給液量が給液されたことをその場で容易に確認することが可能になり、係員に尋ねる必要がない。【選択図】    図１
2004168407.tif 000002
【特許請求の範囲】
【請求項１】
燃料の供給量あるいは供給量に対応する金額が設定される設定器を有し、該設定器に設定された設定量の燃料を供給する燃料供給装置において、
前記設定量と前記燃料の供給量とを比較し、前記設定量が供給されたか否かを判定する判定手段と、
該判定手段の判定結果に基づいて前記燃料の供給停止状況を報知する報知手段と、
を備えたことを特徴とする燃料供給装置。
【請求項２】
前記報知手段は、音声ガイダンスにより報知することを特徴とする請求項１記載の燃料供給装置。
【発明の詳細な説明】
【０００１】
【発明の属する技術分野】
本発明は燃料供給装置に係り、特に車両の燃料タンクに燃料を供給するときに予め設定器により設定された設定値に基づいて燃料を供給するよう構成した燃料供給装置に関する。
【０００２】
【従来の技術】
ここでは、例えば、ガソリンや軽油等の油液を車両の燃料タンクに供給する燃料供給システムを例に挙げて以下説明する。
【０００３】
例えば、セルフサービス方式の燃料供給装置が設置された給液所等では、運転者自身が給液量の設定、給液作業、給液料金の精算を行うようになっている。そのため、運転者は、給液料金の精算方法を指定した後、給液を行う前に設定器のスイッチ操作により所定の油種、給液量または給液金額などの入力を行うようになっている。給液料金の精算方法としては、現金で支払う方法、プリペイドカードやクレジットカードで支払う方法等がある。
【０００４】
また、セルフサービス方式の燃料供給装置では、給液量または給液金額の設定を行う設定器、及び紙幣が入金される自動支払機が計量機に設けられており、給液場所で給液料金の精算を行うことができる。また、自動支払機は、紙幣挿入部が設けられ、挿入された紙幣の種類を鑑別する鑑別部と、挿入された金額を表示する表示部とを有する。
【０００５】
そして、アイランド精算方式の燃料供給装置では、設定器と自動支払機とが同一のパネルに設けられており、油種、給液量または給液金額、支払い方法などを入力する場合、設定器のスピーカから音声によるガイダンスが行われ、操作手順を操作者に報知するようにしている（例えば、特許文献１参照）。
【０００６】
例えば、給液前に予め給液量または給液金額をプリセットする場合、運転者は、音声ガイダンスに従って以下のような操作を行う。まず、自動支払機に現金（１万円札、５千円札等）を紙幣挿入部に挿入し、入金された金額が紙幣リーダにより読み取られて表示部に入金金額が表示された後、所望の油種（レギュラー、ハイオク、軽油等）を入力し、所望の給液量（１０リットル、２０リットル等）または給液金額（２千円、３千円等）を入力する。これで、給油前の設定操作が終了し、計量機が給液可能状態になる。
【０００７】
【特許文献１】
特開２００１−１９０９８号公報
【０００８】
【発明が解決しようとする課題】
上記のような設定器が備えられた燃料供給装置では、給液が終了してポンプが停止されると、給液終了を知らせる音声ガイダンスがスピーカから出力されるが、操作者は、給液が終了すると、設定した給液量が車両に給液されたものと思って給液ノズルをノズル掛けに戻してしまう。
【０００９】
ところが、設定器により設定された給液量に達する前に給液ノズルの液面検知部が液面上の泡を検知すると、給液ノズルの自動閉弁機構が閉弁動作して給液を停止することになる。この場合、操作者は、給液ノズルの構造まで知らないので、予め設定した給液量が全て給液されなかった理由を理解できず、給油所の係員に尋ねて確認することがあった。
【００１０】
また、給液が終了した時点で、給液量が設定値よりも少なくなっている場合、操作者は、そのことに気が付かずに給液ノズルをノズル掛けに戻してしまうため、予め設定した給液量を燃料タンクに給液しないまま終了操作を行ってしまう。そのため、操作者は、料金の精算後にレシートに記載された数字を見て給液量が設定量よりも少ないことに気が付くことになる。
【００１１】
そこで、本発明は上記課題を解決した燃料供給装置を提供することを目的とする。
【００１２】
【課題を解決するための手段】
本発明は上記課題を解決するため、以下のような特徴を有する。
上記請求項１記載の発明は、設定量と燃料の供給量とを比較し、設定量が供給されたか否かを判定する判定手段と、判定手段の判定結果に基づいて燃料の供給停止状況を報知する報知手段と、を備えたものであり、操作者が初心者でも燃料供給の停止状況を確認でき、係員に尋ねる必要がない。
【００１３】
また、請求項２記載の発明は、燃料の供給がどのような状況で停止したのかを音声ガイダンスにより報知することにより、燃料供給の停止状況を簡単に知らせることが可能になり、操作者も設定量が供給されたかどうかを容易に確認できる。
【００１４】
【発明の実施の形態】
以下、図面と共に本発明の実施の形態について説明する。
図１は本発明になる燃料供給装置の一実施例が適用された給液システムの構成図である。
図１に示されるように、給液システム１０は、給液エリア１１に設置された燃料供給装置１３と、事務所１６内に設置された管理コンピュータ１８と、管理コンピュータ１８に接続された記憶装置１９と、ＰＯＳ本体２２とを有する。燃料供給装置１３は、セルフサービス給液方式の計量機１２と、計量機１２に隣接するように設けられた設定器１４とを組み合わせたものであり、両者が別体なのものと、両者が一体化されたものとがある。また、設定器１４は、管理コンピュータ１８と通信回線（例えば、ＳＳ−ＬＡＮ）２０を介して接続されており、後述するように料金をその場で精算するための自動支払機２９を有する。
【００１５】
そして、事務所１６内には、紙幣以外の小銭（硬貨）による釣銭（千円未満の釣銭）を支払うための釣銭機２４及び地下タンク（図示せず）の液位を検出する液面計２５が設置されている。尚、釣銭機２４は、事務所１６外に設けても良い。
【００１６】
また、給液エリア１１には、計量機１２及び設定器１４の周辺を監視するための監視カメラ２１が設けられており、事務所内に設置されたモニタ２３には、監視カメラ２１で撮像された画像が表示される。さらに、管理コンピュータ１８は、油液の販売管理を行うＰＯＳ本体２２が接続されている。
【００１７】
図２は燃料供給システム１０の全体構成を示すブロック図である。
図２に示されるように、燃料供給システム１０では、４台の燃料供給装置１３（１３１〜１３４）が設置されている。各燃料供給装置１３（１３１〜１３４）は、計量機１２（１２１〜１２４）と設定器１４（１４１〜１４４）とを組み合わせた構成である。また、管理コンピュータ１８は、４台の計量機１２（１２１〜１２４）及び設定器１４（１４１〜１４４）と通信回線（ＳＳ−ＬＡＮ）２０を介して接続されている。
【００１８】
図３は設定器１４の概略構成を示すブロック図である。
図３に示されるように、設定器１４は、油種入力部２６と、油種設定部２８と、自動支払機２９と、収容蓋スイッチ３６と、確認スイッチ釦３８ａ，３８ｂと、油種表示部４０と、入金金額表示部４２と、単価表示部４４と、操作者を検知する光センサ４６と、スピーカ４８と、レシートランプ釦５０と、給液ランプ５１と、レシート発行部５２と、お釣りランプ５３と、これらを制御する制御部５４とを有する。
【００１９】
油種入力部２６は、操作者が給液する油種（レギュラーガソリン、ハイオクガソリン、軽油のいずれか）を指定するものであり、油種設定部２８は油種入力部２６により入力された油種を今回給液する油種情報として設定する。
【００２０】
自動支払機２９は、紙幣挿入部３０と、紙幣鑑別部３２と、紙幣返却部３３と、紙幣収容部３４とを有する。紙幣挿入部３０には、給液前に１万円札、５千円札、千円札等の紙幣のみが挿入される。そして、紙幣鑑別部３２では、紙幣挿入部３０に挿入された紙幣の鑑定を行って、紙幣の種類に応じた入金金額を検出する。
【００２１】
紙幣返却部３３の内部は、紙幣を種類別に収容できるように仕切られており、１万円札、５千円札、千円札を個別に収容する各室が設けられている。そして、紙幣鑑別部３２で鑑定された紙幣は、種類別（１万円札、５千円札、千円札）に分類されて紙幣収容部３４に収容される。また、紙幣返却部３３は、入金後のプリセット操作により紙幣（千円以上）による釣銭が有る場合、紙幣収容部３４に収容された紙幣のなかから釣銭としての紙幣を取出して排出する。
【００２２】
給液所の係員は、定期的に紙幣収容部３４に収容された紙幣を回収する。自動支払機２９は、キーロックされた蓋２９ａ（図４参照）を有しており、蓋２９ａが開放されると、収容蓋スイッチ３６がオンになって紙幣の回収作業が行われたことを検出できる。
【００２３】
確認スイッチ釦３８ａ，３８ｂは、油種表示部４０に表示された油種、及び入金金額表示部４２に表示された入金金額が確認されると、ＹＥＳまたはＮＯによって選択的に操作される。また、確認スイッチ釦３８ａ，３８ｂは、ランプが内蔵されており、後述するように入金があると、点滅して操作順序を報知する。
【００２４】
光センサ４６は、例えば、後述する設定器１４の操作パネル５６に設けられており、操作者が操作パネル５６の前に立つと、操作者から反射された光を受光するとオンになって検出信号を出力する。そして、制御部５４は、光センサ４６がオンになると、スピーカ４８から設定操作手順の音声ガイドを発声させる。そのため、操作者は、設定操作する場合でも音声ガイドを聞きながら設定操作を行うことができ、初心者の場合でも設定操作を間違えずに行える。
【００２５】
レシートスイッチ５０は、給液終了後に点灯してレシート発行部５２からのレシート発行を報知するものである。また、お釣りランプ５３は、給液後に釣銭があるとき点灯して釣銭があることを顧客に報知する。そして、レシート発行部５２は、給液終了後、給液した油種、給液量、給液金額、釣銭を印字したレシートを発行する。また、スピーカ４８は、油種設定の操作方法や入金方法や釣銭を受け取る場合の方法を音声でガイダンスする。
【００２６】
制御部５４のメモリ５５には、設定量と燃料の給液量とを比較し、設定量が供給されたか否かを判定する制御プログラム（判定手段）と、判定結果に基づいて燃料の供給停止状況を報知する制御プログラム（報知手段）と、が格納されている。
【００２７】
次に、設定器１４に設けられた操作パネルの構成及び操作手順について説明する。
【００２８】
図４は設定器１４に設けられた操作パネルの一例を示す正面図である。
図４に示されるように、設定器１４の操作パネル５６は、上から順に▲１▼油の種類を押す、▲２▼お金を入れる、▲３▼確認する、▲４▼給液開始、▲５▼レシートを取るといった操作手順が記載されている。
【００２９】
「▲１▼油の種類を押す」の欄には、給液する油種を指定するための油種入力部２６として軽油釦５８、ハイオク釦６０、レギュラー釦６２が配置されている。また、軽油釦５８、ハイオク釦６０、レギュラー釦６２は、ランプが内蔵されており、後述するようにオンに操作されると点灯して選択された油種であることを表示する。
【００３０】
「▲２▼お金を入れる」の欄には、紙幣を挿入する紙幣挿入部３０と紙幣返却部３３とを有する自動支払機２９、入金金額表示部４２、単価表示部４４が設けられている。また、自動支払機２９の蓋２９ａは、通常、キーによりロックされており、紙幣回収時にロック解除されて開かれる。また、自動支払機２９は、蓋２９ａが開かれたことを検出する収容蓋スイッチ３６と、紙幣鑑別部３２と、紙幣収容部３４とを有する。そして、自動支払機２９の蓋２９ａは、紙幣収容部３４に収容された紙幣が回収されると、閉塞されてロックされる。
【００３１】
「▲３▼確認する」の欄には、ＹＥＳ確認スイッチ釦３８ａとＮＯ確認スイッチ釦３８ｂとが設けられている。
【００３２】
「▲４▼給液開始」の欄には、給液許可がおりたことを点滅して報知する給液ランプ５１が設けられている。
【００３３】
「▲５▼レシート」の欄には、レシートスイッチ５０と、レシート発行部５２と、お釣りランプ５３とが設けられている。
【００３４】
ここで、上記燃料供給システム１０において、行われる給液操作について説明する。
給液のため給液所に到着した車両の操作者は、まず給液エリア１１の空いている計量機１２の前に車両を停車させてから設定器１４の設定操作を行う。そして、設定器１４による紙幣またはプリペイドカード、クレジットカードの挿入、油種、給液金額を設定し終わると、計量機１２の給液ノズルを車両の給液口（図示せず）に挿入して給液を開始する。
【００３５】
次に、顧客（運転者）及び給液所の監視者（係員）が行う操作手順について説明する。
図５は顧客（運転者）及び給液所の監視者（係員）が行う操作手順について説明するフローチャートである。
図５に示されるように、顧客（運転者）が設定器１４において、軽油釦５８、ハイオク釦６０、レギュラー釦６２の何れかをオンに操作して油種選択操作を行った（Ｓ１１）後、紙幣を紙幣挿入部３０に挿入すると、入金金額が入金金額表示部４２に表示される（Ｓ１２）。
【００３６】
次に顧客が、給液金額のプリセット設定を行うと共に、プリセットされた給液金額に相当する給液量を表示する（Ｓ１３）。そして、表示された給液金額及び給液量が間違っているときは（Ｓ１４）、確認スイッチ釦３８ｂをオンに操作する（Ｓ１５）。この場合、顧客は設定操作を最初からやり直す。
【００３７】
また、表示された給液金額及び給液量が正しければ（Ｓ１４）、確認スイッチ釦３８ａをオンに操作する（Ｓ１６）。そして、紙幣の釣銭（千円以上）があるかどうかを判断して（Ｓ１７）、紙幣の釣銭があるときは、紙幣返却部３３に釣銭としての紙幣を排出する（Ｓ１８）。上記プリセット操作が終了すると、計量機１２において、給液ノズル（図示せず）をノズル掛けから外して（Ｓ１９）、車両の給液口に挿入する。
【００３８】
この後、給液所の事務所において、管理コンピュータ１８は、計量機１２からの給液許可要求信号を受けて給液許可待ち状態になる（Ｓ２０）。給液所の係員（監視者）は、計量機１２からの給液許可要求に対して設定器１４により設定されたプリセット値とモニタ２３に表示された当該計量機１２周辺の画像を確認して給液許可を出力する（Ｓ２１）。
【００３９】
計量機１２では、給液許可信号を受信すると、給液ランプ５１が点滅し、ポンプ（図示せず）が起動されて給液が開始される（Ｓ２２）。そして、プリセットされた給液量が給液されると、ポンプが停止される（Ｓ２３）。顧客が給液ノズルを計量機１２のノズル掛けに戻すと（Ｓ２４）、設定器１４では給液量と入金金額との差を求めて釣銭（千円以下）の有無を判別する（Ｓ２５）。
【００４０】
釣銭（千円以下）があるときは、レシートランプ釦５０を点滅させてレシート発行部５２からレシートを発行する（Ｓ２６）。その後、給液所の事務所において、係員（監視者）は、釣銭機２４に伝票番号を入力して釣銭の払い出しを許可する（Ｓ２７）。
【００４１】
顧客は、給液終了後、釣銭機２４から釣銭を受取る（Ｓ２８）。これで、給液及び精算処理は終了する（Ｓ２９）。
【００４２】
また、Ｓ２５で釣銭がないときは、レシートランプ釦５０を点滅させる（Ｓ３０）。顧客がレシートランプ釦５０を押圧してオンに操作すると（Ｓ３１）、レシート発行部５２からレシートを発行する（Ｓ３２）。これで、給液及び精算処理は終了する（Ｓ３３）。
【００４３】
また、Ｓ３１で顧客がレシートランプ釦５０を押圧操作しないときは、３０秒経過したかどうかを確認する（Ｓ３４）。尚、３０秒が経過してもレシートランプ釦５０が押圧操作されないときは、レシートランプ釦５０を消灯させ（Ｓ３５）、給液及び精算処理を終了する。
【００４４】
次に上記設定器１４で実行される制御処理について説明する。
図６は設定器１４の制御部５４が実行する制御処理を説明するためのフローチャートである。
図６に示されるように、設定器１４の制御部５４は、Ｓ４１において、光センサ４６がオンかどうかをチェックする。Ｓ４１で光センサ４６がオンになると、操作者が操作パネル５６の前に立っているものと判断し、Ｓ４２に進み、スピーカ４８から設定操作手順の音声ガイドを発声させる。
【００４５】
続いて、Ｓ４３に進み、目標給液量の設定が完了したかどうかをチェックする。Ｓ４３において、目標給液量の設定が完了していないときは、上記Ｓ４２に戻り、再度、設定操作手順の音声ガイダンスを発声させる。
【００４６】
また、上記Ｓ４３において、目標給液量の設定が完了したときは、Ｓ４４に進み、計量機１２のノズル掛け（図示せず）に設けられたノズルスイッチがオフになったかどうかをチェックする。Ｓ４４でノズルスイッチがオフになると、操作者が給液ノズル（図示せず）をノズル掛けから外して車両の給液口に挿入したものと判断し、Ｓ４５に進む。
【００４７】
Ｓ４５では、給液量のカウント値をゼロリセットすると共に、給液時間のカウント値をゼロリセットする。続いて、Ｓ４６では、当該計量機１２に収容されたポンプ（図示せず）が起動され、２段開閉式の電磁弁（図示せず）が２段開弁（大流量で高速給液）される。これで、計量機１２は、給液可能な状態になる。
【００４８】
次のＳ４７では、計量機１２に設けられた流量計から出力された流量パルスを積算して給液量の計測を行うと共に、給液時間の更新を行う。続いて、Ｓ４８に進み、給液量の積算値の表示を更新する。
【００４９】
次のＳ４９では、計測された給液量が目標給液量の０．１リットル手前の値に達したかどうかをチェックする。Ｓ４９において、計測された給液量が目標給液量の０．１リットル手前の値に達したときは、Ｓ５０に進み、２段開閉式の電磁弁を１段閉弁（小流量で低速給液）させる。また、Ｓ４９において、計測された給液量が目標給液量の０．１リットル手前の値に達していないときは、上記Ｓ５０の処理を省略してＳ５１に進む。
【００５０】
Ｓ５１において、計測された給液量がセルフ制限量に達したかどうかをチェックする。Ｓ５１において、計測された給液量がセルフ制限量に達したときは、Ｓ５２に進み、スピーカ４８から例えば、「セルフ制限量で停止しました」といったような音声ガイダンスを発声させる。これにより、操作者は、予め設定された目標給液量が給液されなかった理由をその場で容易に確認することが可能になり、係員に尋ねる必要がない。
【００５１】
その後、Ｓ５３に進み、当該計量機１２に収容されたポンプ（図示せず）を停止させ、２段開閉式の電磁弁（図示せず）を閉弁させる。続いて、Ｓ５４では、計量機１２のノズル掛け（図示せず）に設けられたノズルスイッチがオンになったかどうかをチェックする。Ｓ５４でノズルスイッチがオンになると、操作者が給液ノズル（図示せず）をノズル掛けに戻したものと判断し、Ｓ４１に戻る。これで、一連の給液処理が終了する。
【００５２】
また、Ｓ５１において、計測された給液量がセルフ制限量に達していないときは、上記Ｓ５２の処理を省略してＳ５５に進む。尚、セルフ制限量は、一回の給液作業において、給液可能な最大給液可能な最大給液量として予め設定された値であり、例えば、液種がガソリンの場合は１００リットル、軽油の場合は２００リットルを夫々セルフ制限量として設定する。そして、給液量がセルフ制限量に達した場合に異常であると判定し、燃料の供給を停止させる。
【００５３】
Ｓ５５において、計測された給液時間がセルフ制限時間に達したかどうかをチェックする。Ｓ５５において、計測された給液時間がセルフ制限時間に達したときは、Ｓ５６に進み、スピーカ４８から例えば、「セルフ制限時間で停止しました」といったような音声ガイダンスを発声させる。その後、前述したＳ５３、Ｓ５４の処理を実行してＳ４１に戻る。これにより、操作者は、予め設定された目標給液量が給液されなかった理由をその場で容易に確認することが可能になり、係員に尋ねる必要がない。
【００５４】
また、Ｓ５５において、計測された給液時間がセルフ制限時間に達していないときは、上記Ｓ５６の処理を省略してＳ５７に進む。尚、セルフ制限時間は、一回の給液作業において、給液可能な最大給液可能な最大給液時間として予め設定された時間であり、例えば、液種がガソリンの場合は４分間、軽油の場合は８分間に設定される。そして、給液時間がセルフ制限時間に達した場合に異常であると判定し、燃料の供給を停止させる。
【００５５】
次のＳ５７では、計測された給液量が目標給液量に達したかどうかをチェックする。Ｓ５７において、計測された給液量が目標給液量に達したときは、Ｓ５８に進み、スピーカ４８から例えば、「目標量に到達しました」といったような音声ガイダンスを発声させる。これにより、操作者は、予め設定された目標給液量が給液されたことをその場で容易に確認することが可能になり、係員に尋ねる必要がない。その後、前述したＳ５３、Ｓ５４の処理を実行してＳ４１に戻る。
【００５６】
また、Ｓ５７において、計測された給液量が目標給液量に達していないときは、上記Ｓ５８の処理を省略してＳ５９に進む。
【００５７】
Ｓ５９では、給液停止中で且つ音声ガイダンスの発声がないかどうかをチェックする。Ｓ５９において、給液停止中で且つ音声ガイダンスの発声がない場合には、Ｓ６０に進み、計測された給液量が目標給液量の０．１リットル手前の値に達したかどうかをチェックする。Ｓ６０において、計測された給液量が目標給液量の０．１リットル手前の値に達したときは、Ｓ６１に進み、スピーカ４８から例えば、「目標手前で停止しました」といったような音声ガイダンスを発声させる。これにより、操作者は、予め設定された目標給液量が給液されなかった理由をその場で容易に確認することが可能になり、係員に尋ねる必要がない。
【００５８】
また、Ｓ５９において、給液停止中でないか、あるいは音声ガイダンスの発声がある場合には、上記Ｓ６０，Ｓ６１の処理を省略してＳ６２に進む。また、上記Ｓ６０において、計測された給液量が目標給液量の０．１リットル手前の値に達しないときは、上記Ｓ６１の処理を省略してＳ６２に進む。
【００５９】
Ｓ６２では、計量機１２のノズル掛け（図示せず）に設けられたノズルスイッチがオンになったかどうかをチェックする。Ｓ６２において、ノズルスイッチがオフであるときは、操作者が給液ノズル（図示せず）を燃料タンクに挿入した状態であると判断し、前述したＳ４７に戻る。そして、Ｓ４７以降の処理を繰り返す。
【００６０】
従って、給液ノズルが燃料タンクに挿入されたまま給液が継続されている間は、上記Ｓ４７，Ｓ４８，Ｓ５１，Ｓ５５，Ｓ５７，Ｓ５９，Ｓ６２の処理を繰り返しており、正常に給液が行われた場合には、上記Ｓ５２において、「目標量に到達しました」といったような音声ガイダンスが発声される。これにより、操作者は、予め設定された目標給液量が給液されたことをその場で容易に確認することが可能になり、係員に尋ねる必要がない。
【００６１】
また、Ｓ６２において、ノズルスイッチがオンになると、操作者が給液ノズル（図示せず）をノズル掛けに戻したものと判断し、Ｓ６３に進む。Ｓ６３では、当該計量機１２に収容されたポンプ（図示せず）を停止させ、２段開閉式の電磁弁（図示せず）を閉弁させる。これで、一連の給液処理が終了する。
【００６２】
尚、上記実施の形態では、スピーカ４８から音声ガイダンスを発声させることで操作者に給液停止の理由を報知する構成を一例として説明したが、これに限らず、例えば、スピーカ４８から音声ガイダンスを発声させる代わりに液晶モニタにメッセージを表示させることで報知することも可能である。
【００６３】
また、地上設置型の計量機に取り付けられた構成を一例として挙げたが、これに限らず、懸垂式の給液装置にも適用できるのは勿論である。
【００６４】
また、上記実施の形態では、ガソリンや軽油等の油液を車両の燃料タンクに給油する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００６５】
【発明の効果】
上述の如く、上記請求項１記載の発明によれば、設定量と燃料の供給量とを比較し、設定量が供給されたか否かを判定する判定手段と、判定手段の判定結果に基づいて燃料の供給停止状況を報知する報知手段と、を備えたものであり、操作者が初心者でも燃料供給の停止状況を確認でき、係員に尋ねる必要がない。
【００６６】
また、請求項２記載の発明によれば、燃料の供給がどのような状況で停止したのかを音声ガイダンスにより報知することにより、燃料供給の停止状況を簡単に知らせることが可能になり、操作者も設定量が供給されたかどうかを容易に確認できる。
【図面の簡単な説明】
【図１】本発明になる燃料供給装置の一実施例が適用された給油システムの構成を示すブロック図である。
【図２】燃料供給システム１０の全体構成を示すブロック図である。
【図３】設定器１４の概略構成を示すブロック図である。
【図４】設定器１４に設けられた操作パネルの一例を示す正面図である。
【図５】顧客（運転者）及び給液所の監視者（係員）が行う操作手順について説明するフローチャートである。
【図６】設定器１４の制御部５４が実行する制御処理を説明するためのフローチャートである。
【符号の説明】
１０  給液システム
１２（１２１〜１２４）  計量機
１３（１３１〜１３４）  燃料供給装置
１４（１４１〜１４４）  設定器
１８  管理コンピュータ
１９  記憶装置
２４  釣銭機
２９  自動支払機
３８ａ，３８ｂ  確認スイッチ釦
４２  入金金額表示部
４６  光センサ
４８  スピーカ
５２  レシート発行部
５４  制御部
５５  メモリ
５６  操作パネル
【図１】
2004168407.tif 000003
【図２】
2004168407.tif 000004
【図３】
2004168407.tif 000005
【図４】
2004168407.tif 000006
【図５】
2004168407.tif 000007
【図６】
2004168407.tif 000008